(57)【要約】【課題】負荷としての‘はかり’　の検査時の複数個の分銅や実使用時の被計量物が載台の中央部や両端側に存在する時のほか、これらの間を移動される途中においても、負荷の重量を同等に表示し得るロードセル式はかりを提供すること。【解決手段】四隅部がデジタル式ロードセルＤＬＣ１　〜ＤＬＣ４　で支持された長方形状の載台１を有するロードセル式はかりにおいて、負荷が分銅である場合に、ロードセル式はかりの‘ひょう量’　に対する分銅荷重の比である荷重ＦＳ比率Ｐｆｓと、分銅荷重の載台の長手方向への分布である二隅分布比αとから、分銅が載台の中央部、一端側、または他端側に載置されているケース、およびこれらの載置位置の間を移動されるケースを判定し、それぞれのケースに付いて適切な二隅補正値ＷＥ　を算出して、ロードセルＤＬＣ１　〜ＤＬＣ４　の総出力値ＷＮ　を補正し、載置位置に係わらず分銅重量Ｗを同等に表示させる。【選択図】　　　　図２
2004108801.tif 000002
【特許請求の範囲】
【請求項１】
四隅部がそれぞれロードセルによって支持された載台を有するロードセル式はかりにおいて、
負荷が均等な重量の複数個の分銅からなる場合に、前記ロードセル式はかりのひょう量に対する前記載台上の分銅の個数によって異なる分銅荷重の比である荷重フルスケール比率と、前記載台の長手方向への前記分銅荷重の分布比である二隅分布比とによって、前記載台上における前記分銅の二隅分布の状態を判定する二隅分布状態判定手段と、
前記ロードセルの総出力値に付いて、前記二隅分布の状態に応じて設定、算出される二隅補正値を加減、または前記二隅分布の状態に応じて設定、算出される二隅補正係数を乗除して補正する二隅誤差補正手段と、を備えている
ことを特徴とするロードセル式はかり。
【請求項２】
前記二隅分布の状態として、前記分銅が前記載台の中央部、一端側、または他端側に載置されているケース、および前記分銅が前記中央部から前記一端側または前記他端側へ移動されているケース、前記一端側または前記他端側から前記中央部へ移動されているケース、前記一端側から前記他端側、または前記他端側から前記一端側へ移動されているケースの何れであるかに応じて前記二隅補正値または前記二隅補正係数が設定、算出される
ことを特徴とする請求項１に記載のロードセル式はかり。
【請求項３】
前記二隅分布比が、前記載台の長手方向の一端側の２個のロードセルの出力の和ＲＡ　と他端側の２個のロードセルの出力の和ＲＢ　との差を、ＲＡ　とＲＢ　との和で除した二隅分布比α＝（ＲＡ−ＲＢ）／（ＲＡ＋ＲＢ）として算出される
ことを特徴とする請求項１に記載のロードセル式はかり。
【請求項４】
前記載台が分銅の載置によって実質的に撓まない場合には前記和算値（ＲＡ＋ＲＢ）をそのまま前記総出力値ＷＮ　とし、前記載台が許容し得る範囲内で撓む場合には前記和算値（ＲＡ＋ＲＢ）を撓み誤差補正して前記総出力値ＷＮ　とし、前記総出力値ＷＮ　を前記二隅分布の状態に応じて設定、算出される二隅補正値ＷＥ　によって次式（１）で示すように補正して前記分銅の重量Ｗが表示される
Ｗ　　＝　　ＷＮ　−ＷＥ　　　　　　　　　　　　　　　式（１）
ことを特徴とする請求項１に記載のロードセル式はかり。
【請求項５】
前記分銅が前記載台の中央部に載置されているケースでは前記二隅補正値ＷＥ　は式（２）に示すように０とされ、
ＷＥ　＝　　０　　　　　　　　　　　　　　　　　　式（２）
前記分銅が前記中央部以外で載置または移動されているケースでは、前記二隅補正値ＷＥ　は式（３）によって求められる値とされ、
ＷＥ　＝ＷＮ　ＣＥ　θ　　　　　　　　　　　　　　　式（３）
ここにおいて、ＣＥ　は０．０００１から０．００１までの数値
であり、
θは前記分銅が前記一端側または前記他端側に載置されている
ケースでは、式（４）によって算出され、
θ　＝［（ＲＡ　−ＲＢ　）／ｎ１　ＷＮ　］２　　　　　　　式（４）
ここにおいて、ｎ１　＝０．１〜０．９
ただし、θ≧１の場合はθ＝１、θ≦−１の場合はθ＝−１
そして、前記分銅が前記中央部から前記一端側または前記他端側へ移動されているケース、および前記分銅が前記一端側または前記他端側から前記中央部へ移動されているケースでは式
（５）によって算出され、
θ　＝［｜ＲＡ　−ＲＢ　／ｎ２　ＷＮ　］１／２　　　　　　　式（５）
ここにおいて、ｎ２　＝０．１〜０．９
ただし、θ≧１の場合はθ＝１
前記分銅が前記一端側から前記他端側、または前記他端側から前記一端側へ移動されているケースでは、移動が完了した時点で前記二隅補正値ＷＥ　が算出され、それまでの間は移動開始前の前記二隅補正値ＷＥ　が採用される
ことを特徴とする請求項１に記載のロードセル式はかり。
【請求項６】
前記負荷が前記ロードセル式はかりの被計量物である場合に、前記被計量物と前記分銅との判別が、前記総出力値の上昇速度に基いて行われる
ことを特徴とする請求項１に記載のロードセル式はかり。
【請求項７】
前記被計量物が載置されている時点では前記二隅補正値ＷＥ　は０とされ、前記被計量物の位置が定まり、前記中央部にあるケースでは前記二隅補正値ＷＥ　は式（６）によって算出され、
ＷＥ　＝ｎ３　ＷＮ　ＣＥ　　　　　　　　　　　　　　　式（６）
ここにおいて、ｎ３　＝　０．１〜０．９
前記被計量物が前記一端側または前記他端側にあるケースでは、　前記二隅補正値ＷＥ　は式（７）によって算出される
ＷＥ　＝ｎ３　ＷＮ　ＣＥ　θ　　　　　　　　　　　　　式（７）
ここにおいてθは式（４）による
ことを特徴とする請求項１に記載のロードセル式はかり。
【発明の詳細な説明】
【０００１】
【発明の属する技術分野】
本発明は載台の四隅部をロードセルで支持するロードセル式はかりに関するものであり、更に詳しくは、負荷が載台の中央部に存在する場合や、長手方向に異なった状態で荷重分布して存在する場合などにおいて、負荷荷重の大きさと分布状態を読み取り、その状態に応じた補正を施して、載台上の負荷の位置に関係なく同等の重量に表示するロードセル式はかりに関するものである。
【０００２】
【従来の技術】
図２４は、長方形状の載台１が四隅部に配置された４個のデジタル式ロードセルＤＬＣ１　、ＤＬＣ２　、ＤＬＣ３　、ＤＬＣ４　、すなわち、マイクロコンピュータを備え、作動時には負荷荷重のデジタル値を刻々に出力するロードセルによって支持されたロードセル式はかりの平面図であり、図２４のＡは、載台１の中央部および四隅部の一隅部毎に同一の負荷荷重（１０トン）を載置した時の各ロードセルＤＬＣ１　〜ＤＬＣ４　の出力（載台１が無負荷の時の出力値を差し引いた出力値）の和算値を負荷の載置場所毎に示した平面図であり、負荷を載台１の中央部に載置した時の和算値は「１００００」、各四隅部（以降、四隅と称することがある）に載置した時の和算値はそれぞれ「１０００４」を示すように製造されている。すなわち、各ロードセルＤＬＣ１　〜ＤＬＣ４　は、予め四隅部毎に分銅を載置するなどして得られた四隅補正係数を掛けて、負荷が何れの四隅に載置されても同一の和算値（図２４のＡで示せば「１０００４」）を出力するように四隅補正されている。
【０００３】
また、図２４のＢは、載台１の中央部および長手方向の両端側（以降、二隅と称することがある）の何れかに同一の負荷（重量２０トン）を載置した時の各ロードセルＤＬＣ１　〜ＤＬＣ４　の出力の和算値を載置位置毎に示した平面図である。すなわち、載台１の中央部に負荷を載置した時の和算値は「２００００」、二隅の何れかに載置した時の和算値はそれぞれ「２０００８」となる。これらの和算値も同様に載台１が無負荷の時の出力値を差し引いた出力値である。上記のように、同一の負荷が中央部に載置された時と二隅の何れかに載置された時とで異なった和算値を示すのは、例えば２０トンの負荷を載台の中央部に載置した時に２０トンと表示させるためであり、これは次に示すような理由による。
【０００４】
すなわち、図２５は図２４に示したロードセル式はかりの概念的な側面図であり、図２５のＡは無負荷の状態を示しており、この状態で各ロードセルは鉛直に設置されている。図２５のＢは載台１の中央部に負荷Ｍが載置されて載台１の中央部が窪むように撓んだ状態を誇張してを示す図である。載台１が撓むと荷重を受ける面が球面状となっているロードセルＤＬＣ１　〜ＤＬＣ４　は図２５のＢに示すように支持点を滑らせ上部を載台１の外側へ傾けるので、中心軸方向の力を検出する各ロードセルＤＬＣ１　〜ＤＬＣ４　の出力は若干小さくなる。そのために、負荷Ｍの本来の重量が表示されるように、各ロードセルＤＬＣ１　〜ＤＬＣ４　の各出力は（＋）側に補正されている。また、その故に、負荷Ｍが二隅の何れかに載置される場合には、中央部に載置される場合と比較して、各ロ−ドセルＤＬＣ１　〜ＤＬＣ４　の出力の和算値は本来の重量よりも（＋）側に表示されるのである。元来、‘はかり’は負荷全体が載台の中央部に載置されることを期待するものであるが、常に中央部に載置されることは必ずしも期待できないことも事実である。従って、負荷が二隅の何れかに載置される場合にも本来の重量を表示させるには、負荷の載置位置を検出し、それに応じて各ロードセルＤＬＣ１　〜ＤＬＣ４　の出力の和算値を二隅補正することを要する。
【０００５】
載台の撓みの問題は、載台を剛直に製作し実質的に撓みを生じないものとすることによって回避し得るし、またロードセルＤＬＣを長尺化し、載台が撓みを生じても中心軸の傾斜角度が小さいものとすることによっても対処し得るが、載台の剛直化、ロードセルＤＬＣの長尺化は何れもロードセル式はかりのコストを著しく増大させる方向である。従って、載台の撓みが許容し得る範囲内である限りにおいて、その撓みによって生ずる誤差はロードセルＤＬＣ側で補正して重量表示するロードセル式はかりの方が低コストであり実用性に富んだものとなる。
【０００６】
上記のような補正に関し、本出願人は、先に特願２００１−０７７１６８号において、二隅への負荷の偏置による誤差を自動的に補正するロ−ドセル式はかり、偏置誤差補正方法、および偏置誤差補正プログラムを提案した。その内容は、四隅の各デジタル式ロードセルによって‘はかり’の載台に載置された負荷の荷重分布係数φを求め、荷重分布係数φの関数としての偏置誤差補正係数ｋを算出し、各デジタル式ロードセルの出力の和算値に１前後の値（通常的には１より僅かに小さい値）である偏置誤差補正係数ｋを乗じることを含むものである。
【０００７】
【発明が解決しようとする課題】
上記の特願２００１−０７７１６８号による偏置誤差の補正方法は、複数個の負荷が二隅の何れか一方に偏置された状態においては効果的に二隅補正を行い得るが、載台上で複数個の分銅を移動させる時に問題を生ずる。例えば‘はかり’の二隅検査時には、載台の二隅の一方に載置された複数個の分銅を他方へ移動させて、分銅が二隅の一方に載置された場合、他方に載置された場合においても中央部に載置された場合と同等の重量が表示されることの確認が行われる。これを例示すれば、長手方向の一端側に載置した４個の負荷を他端側へ１個ずつ移動させることが行われ、その移動の途中において、２個の分銅が他端側へ移動され２個の分銅は未だ一端側に残っている状態では、載台の撓みが最小になるので実態より大きい分銅重量が表示されることになる。
【０００８】
図１４〜図１９および図２０〜２３は、ロードセル式はかりの一例であるトラックスケールの検査時の載台上における分銅の載置および移動の手順についての（イ）、（ロ）の２方式を示す図である。平成５年制定の計量法に基づく検定検査規則では、‘はかり’の‘ひょう量’（‘はかり’が正しく測定できる最大許容質量であり、以降、本文においてはフルスケールと称し、ＦＳと表記することがある）の（１／２）　の分銅を使用して二隅検査することが定められているが、図１４〜図１９、図２０〜図２３は何れも、フルスケール４０トンのトラックスケールに付いて、二隅検査は１個５トンの分銅を４個、計２０トンの分銅が使用される場合を示している。勿論、図には分銅を８個とする場面も示しているが、二隅検査とは離れるので、それらについての説明は省略する。
【０００９】
図１４〜図１９に示す（イ）方式においては、四隅部がデジタル式ロードセルＤＬＣ１　〜ＤＬＣ４　で支持された長さＬの載台に対し、図１４のＡからＥまでは長さが（１／２）　Ｌの中央部に分銅が中心振り分けで▲１▼、▲２▼、▲３▼、▲４▼の順に載置されている状態を示し、４個の分銅が載置された図１４のＥの時点で重量表示を確認する二隅検査が行われる。なお、この状態で載台１の撓みは最大となる。
【００１０】
図１５のＡからＥまでは、図において左側である一端側での二隅検査のために、図１４のＥの状態から分銅が▲４▼、▲２▼、▲１▼、▲３▼の順に左側へ移動される状態を示す図であり、図１５のＥの状態で重量表示を確認する二隅検査が行われる。この場合、載台１の撓みが減少するので、ロードセルＤＬＣ１　〜ＤＬＣ４　の出力の和算値は（＋）側になり易い。
【００１１】
図１６のＡからＥまでは、図において右側である他端側での二隅検査のために、図１５のＥの状態から分銅が▲３▼、▲１▼、▲２▼、▲４▼の順に右側へ移動される状態を示す図であり、図１６のＥの状態で重量表示が確認される。そして、移動途中の通過点である図１６のＣの状態では、分銅▲１▼、▲３▼と分銅▲２▼、▲４▼が両端側にあって載台の撓みは最小となるので、やや大きい（＋）誤差を伴って重量表示される。
【００１２】
図１７のＡからＤまでは、図１６のＥの状態から分銅が▲４▼、▲２▼、▲１▼、▲３▼の順に中央部へ移動される状態を示す図である。更に、図１８のＡからＤまでは、載台上にフルスケールである８個の分銅を載置するべく、図１７のＤの状態の分銅▲４▼、▲２▼、▲１▼、▲３▼の両側に振り分けて分銅が▲５▼、▲６▼、▲７▼、▲８▼の順に載置される状態を示す図である。そして、図１９のＡからＥまでは図１８のＤの状態の分銅▲８▼、▲６▼、▲４▼、▲２▼、▲１▼、▲３▼、▲５▼、▲７▼について、左右から交互に分銅を取り除く状態を示す図である。
【００１３】
他方、図２０〜図２３に示す（ロ）方式においては、同じく四隅部がデジタル式ロードセルＤＬＣ１　〜ＤＬＣ４　で支持された長さＬの載台に対し、図２０のＡからＥまでは、フルスケールである８個の分銅が中心振り分けで▲１▼、▲２▼、▲３▼、▲４▼、▲５▼、▲６▼、▲７▼、▲８▼の順に載台の全体に載置される状態を示す図である。
続く、図２１のＡからＤまでは、図において右側から分銅が▲７▼、▲５▼、▲３▼、▲１▼の順に取り除かれ、左側である載台の一端側に４個の分銅▲８▼、▲６▼、▲４▼、▲２▼が二隅検査のために残された状態を示す図である。
【００１４】
図２２のＡからＥまでは、他端側の二隅検査のために、図２１のＤの状態から分銅が▲２▼、▲４▼、▲６▼、▲８▼の順に他端側へ移動される状態を示す図であり、図２２のＥの状態において重量表示が確認される。そして、この移動途中の通過点である図２２のＣの状態では分銅▲６▼、▲８▼と分銅▲２▼、▲４▼とが両端側にあって載台の撓みは最小となるので、大きい（＋）誤差を伴って重量表示される。このことは、（イ）の方式で図１６のＣに示した場合と同様である。
【００１５】
上記のロードセル式はかりの検査時において、本来の二隅検査時に重量表示が（＋）側とならないように二隅補正が必要であるほか、二隅検査の途中である上述した（イ）方式の図１６のＣ、および（ロ）方式の図２２のＣにおいても、重量が（＋）誤差を伴って表示されないようにすることが望まれる。すなわち、上記の（＋）誤差は４０トンのフルスケールにおいて許容される１０ｋｇ（＝１／４０００）以下の値ではあり、かつその誤差は分銅の移動の途中で出現する事象であるが、商取引のベースになる‘はかり’に関することであるから、このような分銅の二隅分布の状態に起因する誤差表示は可及的に解消しておくことが望まれる。
【００１６】
本発明は上述の問題に鑑みてなされ、‘はかり’の二隅検査時のほか、分銅が載台の中央部および長手方向の両端側の間を移動されている途中において、分銅を同一の重量に表示すること、更には、実使用時においても、載台上の位置に関係なく被計量物を同等の重量に表示することが可能なロードセル式はかりを提供することを課題とする。
【００１７】
【課題を解決するための手段】
上記の課題は請求項１の構成によって解決されるが、その解決手段を説明すれば、次の如くである。
【００１８】
請求項１のロードセル式はかりは、四隅部がそれぞれロードセルによって支持された載台を有するロードセル式はかりにおいて、負荷が均等な重量の複数個の分銅からなる場合に、ロードセル式はかりのひょう量に対する載台上の分銅の個数によって異なる分銅荷重の比である荷重フルスケール比率と、載台の長手方向への分銅荷重の分布比である二隅分布比とによって、載台上における分銅の二隅分布の状態を判定する二隅分布状態判定手段と、ロードセルの総出力値に付いて、上記二隅分布の状態に応じて設定、算出される二隅補正値を加減、または上記二隅分布の状態に応じて設定、算出される二隅補正係数を乗除して補正する二隅誤差補正手段と、を備えている‘はかり’である。
このようなロードセル式はかりは、載台上の分銅の二隅分布の状態に応じて、適切な二隅補正値または二隅補正係数を設定、算出してロードセルの総出力値を補正することにより、載台上における分銅の位置に関係なく、分銅の重量を同一に表示することができる。
【００１９】
請求項１に従属する請求項２のロードセル式はかりは、分銅の二隅分布の状態として、分銅が載台の中央部、一端側、または他端側に載置されているケース、および分銅が中央部から一端側または他端側へ移動されているケース、一端側または他端側から中央部へ移動されているケース、一端側から他端側、または他端側から一端側へ移動されているケースの何れであるかに応じて二隅補正値または二隅補正係数が設定、算出される‘はかり’である。
このようなロードセル式はかりは、分銅が載置されている載台上の位置や分銅の個数、および分銅が移動されている方向や移動されている位置に応じて、分銅の重量を同等に表示することを可能にする。
【００２０】
請求項１に従属する請求項３のロードセル式はかりは、二隅分布比が載台の長手方向の一端側の２個のロードセルの出力値の和ＲＡ　と他端側の２個のロードセルの出力値の和ＲＢ　との差を、ＲＡ　とＲＢ　との和で除した二隅分布比α＝（ＲＡ−ＲＢ）／（ＲＡ＋ＲＢ）として算出される‘はかり’である。
このようなロードセル式はかりは、上記の荷重フルスケール比率と二隅分布比とによって、分銅が載台へ載置されている時の載置位置や分銅の個数、および分銅の移動されている時の移動方向や移動位置を常に的確に把握することができ、分銅の二隅分布の状態に応じた二隅補正を可能ならしめる。
【００２１】
請求項１に従属する請求項４のロードセル式はかりは、分銅の載置によって載台が実質的に撓まない場合には和算値（ＲＡ＋ＲＢ）をそのままロードセルの総出力値ＷＮ　とし、載台が許容し得る範囲内で撓む場合には和算値（ＲＡ＋ＲＢ）を撓み誤差補正して総出力値ＷＮ　とし、上記分銅の二隅分布の状態に応じて設定、算出される二隅補正値ＷＥ　によって次式（１）で示すように総出力値ＷＮ　を二隅補正して分銅の重量Ｗが表示される‘はかり’である。
Ｗ　　＝　ＷＮ　−　ＷＥ　　　　　　　　　　　　　　　式（１）
このようなロードセル式はかりは、載台が分銅荷重によって実質的に撓みを生じない場合は勿論、撓みを生ずる場合にも、分銅の重量を正確に表示することができる。
【００２２】
請求項１に従属する請求項５のロードセル式はかりは、分銅が載台の中央部に載置されているケースでは二隅補正値ＷＥ　は、式（２）に示すように、０と設定され、
ＷＥ　＝０　　　　　　　　　　　　　　　　　　　式（２）
分銅が中央部以外で載置または移動されているケースでは、二隅補正値ＷＥ　は式（３）によって算出され、
ＷＥ　＝ＷＮ　ＣＥ　θ　　　　　　　　　　　　　　　式（３）
ここにおいて、ＣＥ　は０．０００１から０．００１までの数値であり、
θは、分銅が一端側または他端側に載置されているケースでは式（４）によって算出され、
θ＝［（ＲＡ　−ＲＢ　）／ｎ１　ＷＮ　］２　　　　　　　式（４）
ここにおいて、ｎ１　＝０．１〜０．９
ただし、θ≧１の場合はθ＝１、θ≦−１の場合はθ＝−１
そして、分銅が中央部から一端側または他端側へ移動されているケース、または分銅が一端側または他端側から中央部へ移動されているケースでは式（５）によって算出され、
θ＝［｜ＲＡ　−ＲＢ｜／ｎ２　ＷＮ　］１／２　　　　　　式（５）
ここにおいてて、ｎ２　＝０．１〜０．９
ただし、θ≧１の場合はθ＝１
分銅が一端側から他端側へ、または他端側から一端側へ移動されているケースでは、移動が完了した時点で二隅補正値ＷＥ　が算出され、それまでの間は移動開始前の二隅補正値ＷＥ　が採用される‘はかり’である。
このようなロードセル式はかりは、載台上の分銅の二隅分布の状態に応じて適切な二隅補正値ＷＥ　を算出し、載台上の位置に関係なく分銅の重量Ｗを同等に表示することができる。
【００２３】
請求項１に従属する請求項６のロードセル式はかりは、負荷がロードセル式はかりの被計量物である場合に、被計量物と分銅との判別が、総出力値の上昇速度に基いて行われる‘はかり’である。
このようなロードセル式はかりは、他動的に個々に載置され移動される分銅と、主として単体であり１個の分銅より重量が大きく、更には自走して載台に乗り上げることの多い被計量物とを簡易かつ正確に判別することができる。
【００２４】
請求項１に従属する請求項７のロードセル式はかりは、被計量物が載置されている時点では二隅補正値ＷＥ　は０とされ、被計量物の位置が定まり、載台の中央部にあるケースでは二隅補正値ＷＥ　は式（６）によって算出され、
ＷＥ　＝ｎ３　ＷＮ　ＣＥ　　　　　　　　　　　　　　　式（６）
ここにおいて、ｎ３　＝０．１〜０．９
載台の一端側または他端側にあるケ−スでは、二隅補正値ＷＥ　は式（７）によって算出される。
ＷＥ　＝ｎ３　ＷＮ　ＣＥ　θ　　　　　　　　　　　　　式（７）
ここにおいて、θは式（４）による
このようなロードセル式はかりは、被計量物が載台上に載置される場合、中央部に載置されても被計量物の重心が載台の中心に一致しないのが普通であるから二隅補正値ＷＥ　は分銅の場合のように０とはせずにｎ３　を乗じた式（６）によって算出され、また、一端側または他端側へ載置されても分銅のよう極端に偏置されることはないので、二隅補正値ＷＥ　も分銅の場合と比較して小さくても可であることからｎ３　を乗じた式（７）によって算出される、被計量物の位置に応じた的確な二隅補正値ＷＥ　によって、載台上における被計量物の位置に関係なく被計量物の重量を正確に表示することができる。
【００２５】
【発明の実施の形態】
本発明のロードセル式はかりは、上述したように、四隅部がそれぞれロードセルによって支持された載台を有するロードセル式はかりにおいて、負荷が均等な重量の複数個の分銅からなる場合に、ロードセル式はかりのひょう量に対する載台上の分銅の個数によって異なる分銅荷重の比である荷重フルスケール比率と、載台の長手方向への分銅荷重の分布比である二隅分布比とによって、載台上における分銅の二隅分布の状態を判定する二隅分布状態判定手段と、ロードセルの総出力値に付いて、二隅分布の状態に応じて設定、算出される二隅補正値を加減、または二隅分布の状態に応じて設定、算出される二隅補正係数を乗除して補正する二隅誤差補正手段と、を備えている‘はかり’である。
【００２６】
各ロードセルＤＬＣ１　〜ＤＬＣ４　は作動時には分銅荷重を例えば１００ミリ秒の周期で３秒間測定して計量するので、ロードセル式はかりのフルスケールに対する分銅荷重の比である上記の荷重フルスケール比率Ｐｆｓと、載台の長手方向への分銅荷重の分布比である二隅分布比とによって、載台上において載置され移動される分銅の二隅分布の状態が二隅分布状態判定手段であるコンピュータによって常時モニタリングされる。
【００２７】
二隅分布比は載台の一端側の２個のロードセルの出力の和（ＲＡ　＝Ｒ１　＋Ｒ２　）と他端側の２個のロードセルの出力の和（ＲＢ　＝Ｒ３　＋Ｒ４　）から、次式に示す二隅分布比αによって簡易かつ正確に把握される。
α　＝　（　ＲＡ　−ＲＢ　）／（　ＲＡ　＋ＲＢ　）
勿論、二隅分布比αは上記以外の方法によって求めてもよく、例えば４個のロードセルＤＬＣ１　〜ＤＬＣ４　の各出力値Ｒｉと、それらＲｉの平均値Ｒｎとから次式によって荷重分布係数φを求めて分銅の二隅分布の状態を判定するようにしてもよい。
2004108801.tif 000003
【００２８】
ロードセルの総出力値を分銅荷重の二隅分布のケースに応じて二隅補正するには、二隅誤差補正手段であるコンピュータによって二隅補正値を算出してロードセルの総出力値を加減してもよく、また二隅補正係数を求めてロードセルの総出力値に乗除するようにしてもよい。何れにしても、載台上における位置に関係なく分銅が同等の重量に表示されるように、分銅荷重の二隅分布のケースに応じて適切な算式を設定し、その算式にのっとって求められる二隅補正値または二隅補正係数によってロードセルの総出力値が補正される。
【００２９】
一例として、ロードセルの総出力値を二隅補正値によって補正する場合を説明すれば、載台上における分銅の二隅分布の状態、すなわち分銅が載台の中央部、一端側、または他端側に載置されているケース、および分銅が中央部から一端側または他端側へ移動されているケース、一端側または他端側から中央部へ移動されているケース、一端側から他端側へ、または他端側から一端側へ移動されているケースの何れであるかを判定し、判定されたケースに応じて設定、算出される二隅補正値ＷＥ　によって式（１）に示すようにロードセルの総出力値ＷＮ　を補正して分銅の重量Ｗが表示される。
Ｗ　＝　ＷＮ　−　ＷＥ　　　　　　　　　　　　　　　式（１）
【００３０】
上記の各ケースにおける二隅補正値ＷＥ　は以下のように設定、算出される。
すなわち、分銅が載台の中央部に載置されているケースでは二隅補正は行われない。従って二隅補正値ＷＥ　は、式（２）に示すように、０と設定される。
ＷＥ　＝０　　　　　　　　　　　　　　　　　　　式（２）
分銅が中央部以外で載置または移動されいるケースでは、二隅補正値ＷＥ　は式（３）によって算出される。
ＷＥ　＝ＷＮ　ＣＥ　θ　　　　　　　　　　　　　　　式（３）
式（３）において、ＣＥ　は‘はかり’の計量誤差比に相当する０．０００１（すなわち、１トンの計量における誤差が０．１ｋｇ）から０．００１（すなわち、１トンの計量における誤差が１ｋｇ）までの数値であり、例えば０．０００３とされる。
【００３１】
そして、θは、載台上における分銅荷重の二隅分布比による載台の撓みに関する項であり、最大で１または−１となる数値であるが、分銅が載台の一端側または他端側に載置されているケースでは、前述したように、式（４）によって算出される。
θ　＝［（ＲＡ　−ＲＢ　）／ｎ１　ＷＮ　］２　　　　　　　式（４）
これらのケースでは載台の撓みが小さく比較的大きい二隅補正値ＷＥ　を要するために、比較的１に近いθが得られるように２乗式で算出される値としている。
また、分銅が中央部から一端側または他端側へ移動されているケース、および一端側または他端側から中央部へ移動されているケースでは、前述したように、式（５）によって算出される。
θ　＝［｜ＲＡ　−ＲＢ｜／ｎ２　ＷＮ　］１／２　　　　　　　式（５）
これらのケースでは載台が撓むので、必要な二隅補正値ＷＥ　は小であるから、θは（１／２）　乗式で算出される値としている。なお、分銅荷重の二隅分布の状態によって異なる載台の撓みは載台の剛性やＤＬＣの設置状態によっても異なるので、これらを調整するために係数ｎ１　、ｎ２　が導入されており、実態に即して０．１から０．９までの範囲内で選択され、例えば０．４５とされる。
【００３２】
負荷には上記の分銅のほか、ロードセル式はかりによって重量が計測される被計量物があるが、被計量物は一般には単体であり、分銅１個より重量は大きい。更には、被計量物はタンクローリー等の車両類であり自走して載台に乗り上がるものであることが多い。従って、負荷が被計量物であるか、他動的に個々に載台へ載置される分銅であるかは、ロードセルの総出力値が所定時間内に所定の値に達するまでの総出力値の上昇速度によって判別することができる。具体的には、分銅１個の重量が５トン（０．１２５ＦＳ）である場合、総出力値ＷＮ　が例えば３秒以内に分銅２個より大の０．２７ＦＳに達する時には、負荷は被計量体であると判別することができる。同様に、分銅１個の重量が２トン（０．０５ＦＳ）である場合には、総出力値ＷＮ　が例えば３秒以内に分銅２個より大の０．１２５ＦＳに達する時に、負荷は被計量体であると判別することができる。
【００３３】
また、被計量物が載置されている時点では、ロードセルの総出力値の変化が大であるために、この時点では二隅補正値ＷＥ　は算出することなく開始時の二隅補正値ＷＥ　＝０　が採用される。そして、被計量物の載置位置が定まると二隅補正値ＷＥ　が算出されるが、被計量物の場合には、載台の中央部に載置されるケースであっても、例えばタンクローリーのように、その重心が載台の中心に一致することはなく、載台の長さ方向の何れか一端側が大となる荷重分布を持つので二隅補正値ＷＥ　は分銅の場合のように０とはならない。また、上述したように、被計量物が一端側または他端側に載置される場合にも、検査時の分銅のように載台の一端側または他端側に極端に偏置されることはないので、二隅補正値ＷＥ　の算出式は、分銅に付いて設定された算出式に０．１〜０．９の範囲内のｎ３　を乗じた式（７）とされる。
ＷＥ　＝　ｎ３　ＷＮ　ＣＥ　θ　　　　　　　　　　　　式（７）
なお、ｎ３　は通常的には０．７とされることが多い。
【００３４】
上記以外の、分銅が一端側から他端側、または他端側から一端側へ移動されているケースでは、移動が完了した時点で二隅補正値ＷＥ　が設定、算出され、それまでの間は移動開始前の二隅補正値ＷＥ　が採用される。　このように分銅が一端側から他端側へ移動されるようなケースでは、従来の技術の項で説明したように分銅が載台の両端側に分配される通過点があり、この通過点においては載台の撓みは最も小さくなりロードセルの総出力値は最大になる。このような通過点を含むケースに付いても総出力値を補正するような二隅補正値ＷＥ　の算出式を設定すると、その算出式は大きい二隅補正値ＷＥ　を与えるものとなるが、その算出式が例えばプログラム・エラー等によって他のケースにおける二隅補正値ＷＥ　の算出に使用されることは好ましくなく、また、上述したように、分銅が載台の両端側に分配されるのは分銅の移動途中の通過点であることから、二隅補正値ＷＥ　の算出式を設定することを敢えて避けたことによる。しかし、上記のように分銅が載台の両端側に分配されるような通過点に適切な二隅補正値ＷＥ　を算出するこを排除するものではない。
【００３５】
上記において、ロードセルの総出力値ＷＮ　から二隅補正値ＷＥ　を減じて補正した分銅の重量Ｗを表示する場合を示したが、総出力値ＷＮ　に二隅補正係数を乗じ補正して分銅の重量を表示することも可能である。例えば、二隅分布比αに代わる上述の荷重分布係数φを求め、その荷重分布係数φを変数として、載置台における分銅の二隅分布の状態の各ケースに応じた二隅補正係数ωを求める関数ω＝ｆ（φ）（例えば２次関数ないしは３次関数）を実態に即して設定し、得られる二隅補正係数ωを、式（１０）に示すように、各ロードセルＤＬＣの総出力値ＷＮ　に乗じて補正される値を分銅の重量Ｗとして表示するようにしてもよい。
Ｗ　＝　ＷＮ　ω　　　　　　　　　　　　　　　　　式（１０）
【００３６】
４個のロードセルＤＬＣ１　、ＤＬＣ２　、ＤＬＣ３　、ＤＬＣ４　の出力値をＲ１　、Ｒ２　、　Ｒ３　、Ｒ４　とすると、これらのロードセルの出力の和算値Σは次式で示される。
Σ　＝　Ｒ１　＋Ｒ２　＋Ｒ３　＋Ｒ４
そして、負荷の重量表示に使用されるロードセルの総出力値ＷＮ　は、載台が剛直であり分銅を載置しても実質的に撓みを生じない場合には、ロードセルの出力の和算値Σをそのまま総出力値ＷＮ　として使用することができるが、載置された分銅荷重によって載台が撓みを生じるような場合には、通常、分銅を載台の中央部から等分布に端部に向かって広げるような形で積載するから、載台が撓まない場合に比し、分銅を積載するに従ってロードセルの出力が僅か減じることとなる。一般的に‘はかり’の校正は、‘はかり’の‘ひょう量’（例えば４０ｔ）の出力と分銅を載せる前の零点出力を直線で結ぶようにスパン調整（４０ｔの分銅値に合わせて、はかり表示値を４０，０００ｋｇに合わせる）するから、載台が撓む場合の誤差曲線は図３または図４のように、凸型の曲線を示し、載せた分銅値よりプラス（誤差）の表示値となっている。従って、この載台の撓みによる誤差を補正する撓み誤差補正値ＷＢ　を和算値Σから差し引いて補正したロードセルの総出力値ＷＮ　が使用される。
【００３７】
すなわち、載台の撓みには、上述した分銅荷重の二隅分布比による撓みのほかに、分銅を載台に載置したことによる撓みがある。この分銅を載置したことによる載台の撓み誤差は、ロードセル式はかりのフルスケール（ＦＳ）に対する分銅荷重の比率、すなわち、荷重ＦＳ比率Ｐｆｓによって定まるものであり、具体的には撓み誤差を補正する撓み誤差補正値ＷＢ　と荷重ＦＳ比率Ｐｆｓとの間に、例えば図３のＡに示すような折れ線による直線関係を設定して求められる。すなわち、図３のＡは横軸にＰｆｓ、縦軸にＷＢ　を取った図であり、ＷＢ　がＰｆｓ＝０〜１の間で変化する場合である。図３のＡにおいて、ｅは載台の二隅部に分銅が載置された時の４個のロードセルＤＣＬ１　〜ＤＣＬ４　の出力の和算値Σに対して、分銅が中央部に載置されて載台が撓む時に和算値Σがどれだけ小さいかを示す比率であり、載台の剛性やデジタルロードセルの設置状態によって変わるが、載台毎に予め実測して設定され、フルスケールの０．００７％から０．０３％までの値とされる。
【００３８】
そのほか、ＷＢ　がＰｆｓ＝　０．０〜０．８の間で変動する場合があり、その場合の直線関係を図３のＢに示した。図３のＡの場合との違いは、Ｐｆｓ＝０．４〜０．８の間が「ＷＢ　＝（−ｅ／０．４）Ｐｆｓ＋２ｅ」の直線とされ、Ｐｆｓ＝０．８〜１．０の間はＷＢ　＝０である。勿論、撓み誤差補正値は上記以外の方法によって求められるものであってもよい。
【００３９】
【実施例】
次に、本発明のロードセル式はかりを実施例により、図表を参照して具体的に説明する。
【００４０】
（実施例）
図１は、長方形の平面形状を有する載台に負荷を載置した時の、負荷の位置によって生ずる重量差を補正し、載置位置に係わらず重量を同等に表示するロードセル式はかり（例えばトラックスケール）の二隅補正プログラムの一例の構成を簡略化して示す図である。図１を説明すれば、負荷が均等な重量の複数個の分銅からなる場合に、載置される載台の四隅部を支持する４個のデジタル式ロードセル（ＤＬＣ）の出力をそれぞれＲ１　、Ｒ２　、Ｒ３　、Ｒ４　として、載台の一端側の出力ＲＡ　（＝Ｒ１　＋Ｒ２）と、他端側の出力ＲＢ　（＝Ｒ３　＋Ｒ４　）との和であり、載台上の分銅の個数によって異なる和算値Σ（＝ＲＡ　＋ＲＢ　）が算出される。そして、載台が分銅の載置によって実質的に撓まない場合には和算値Σをそのまま総出力値ＷＮ　とし、載台が許容し得る範囲内で撓む場合には和算値Σを撓み補正して総出力値ＷＮ　とし、その総出力値ＷＮ　のフルスケール（ＦＳ）に対する比である荷重ＦＳ比率Ｐｆｓを求める。
【００４１】
そして、ＤＬＣは、上述したように、作動時には１００ミリ秒程度の周期で計測するので、二隅分布の判定手段において、入力される荷重ＦＳ比率Ｐｆｓと、同じく入力されるＤＬＣの出力ＲＡ　、ＲＢ　によって求められる載台の長手方向への分銅荷重の分布比である二隅分布比αとから、分銅の二隅分布の状態、すなわち分銅が載置されている時の載台上の載置位置や分銅の個数、また分銅が載台上で移動されている時の移動方向や移動位置がリアルに把握、判定され、それぞれの状態に応じてケース番号が割り当てられる。
【００４２】
次いで、二隅誤差補正手段によって、上記のケース番号に応じて設定、算出される二隅補正値ＷＥ　を、次式（１）で示すように、上記の総出力値ＷＮ　から減じ補正して、負荷の重量Ｗを載台上の位置に関係なく同等に表示させるようになっている。
Ｗ　＝　ＷＮ　−　ＷＥ　　　　　　　　　　　　　　　式（１）
なお、実際には、二隅補正値ＷＥ　を減じた後に、はかりの固有誤差の補正、感度調整、ロードセル式はかりの設置地域によって異なる重力加速度の補正等の一般的に行われている操作を行い、重量値の移動平均を取り、重量値の振れが安定しバランスしたことを確認した後に重量表示される。また、図１においては図示を省略したが、各ＤＬＣは四隅補正されており、かつ各ＤＬＣの出力の和算値Σは無負荷時における載台の出力値を差し引いた出力値とされている。
【００４３】
図２は図１における「二隅分布の判定」、すなわち、載台の長手方向への分銅の二隅分布の状態の判定フローの全体を示す図である。すなわち、二隅分布の状態は、判定プロセスが開始されると各ＤＬＣの出力から上記の荷重ＦＳ比率Ｐｆｓが算出され、分銅の載置によって生ずる載台の撓み誤差を補正する撓み誤差補正値ＷＢ　が算出され、その撓み誤差補正値ＷＢ　によって各ＤＬＣの出力の和算値Σを補正して総出力値ＷＮ　が求められる。そして、総出力値ＷＮ　が安定しバランスが得られたこと（Ｙｅｓ）を確認した後、Ｐｆｓが±２０ｄ（デジット、最小目盛）の範囲にあって０目盛に近く無負荷である場合には二隅分布の状態を後述の「ケース１０」、すなわち載台の中央部に負荷があるとする開始の状態であるとして後述のケースタイマーを起動させ、Ｐｆｓ＞　２０ｄである場合には直ちにそのまま、次式によって二隅分布比αが求められる。
α　＝（ＲＡ　−ＲＢ　）／（ＲＡ　＋ＲＢ　）
なお、上記のバランスが不十分で（Ｎｏ）の場合には、図の右側に示されている二隅補正値ＷＥ　の算出では、直前のケースについて算出が継続される。
【００４４】
二隅分布比αの算出の後、二隅分布判定手段であるコンピュータによって算出される上記の荷重ＦＳ比率Ｐｆｓと二隅分布比αとから、載台上における分銅の二隅分布の状態が、Ｒｍｄ（ケース番号の決定）において「ケース１０」から「ケース７２」のまでの２４のケースの何れに属するかが決定される。それぞれのケースの詳細は表１に示した。
【００４５】
【表１】
2004108801.tif 000004
【００４６】
そして、それぞれのケースにおいて後述する判定プログラムに従った判定が実行され、ケース番号が確定すると、図２の左側のＲｍｄにおいて示すよう、また詳しくは拡大して表２に示すように、「ケース１０」から「ケース７２」までの何れのケースに属するかの判定結果に応じて設定されている計算式に基づいて二隅補正値ＷＥ　が算出される。そして、処理が完了しないものがある場合には開始へ戻る。
【００４７】
【表２】
2004108801.tif 000005
【００４８】
上述した「ケース１０」から「ケース７２」までの各ケースでの判定プログラムは、以下に示す判定フローに従って行われる。なお、以下の判定フローは‘はかり’　の二隅検査時において、フルスケール（ＦＳ）４０トンのロードセル式はかりに対して１個の重量が５トンの分銅を　（１／２）ＦＳに相当する２０トン、すなわち、４個の分銅が使用される場合を例示するものである。
なお、以降に説明する判定フローの途中で「ケース１０」と判定される場合があるが、その場合において既に「ケース５０、５１、５５、５６（これらをまとめてケース５Ｘと略す）」の判定を経験している場合には、ケース５Ｘを経験済みとして、繰り返し判定することが回避される。そして、分銅が載台の中央部へ載置され始める「ケース１０」においては、分銅の載置の前に、ロードセルの総出力値を０とする操作が行われる。なお、分銅が一端側、または他端側に載置される「ケース２０」、「ケース３０」においても、分銅の載置が開始される場合を想定して、同様にロードセルの総出力値を０とする操作が行われるようになっている。
【００４９】
『ケース１０での判定』
分銅が載台の中央部に載置され始め、（１／２）　ＦＳに未到達の場合である「ケース１０」について、二隅分布の判定は図４に示すフローに従って行われる。
【００５０】
すなわち、総出力値ＷＮ　を読み込み、フルスケールに対する総出力値ＷＮ　の比である荷重ＦＳ比率のＰｆｓが（−）２０ｄ〜２０ｄの範囲内にあって０目盛に近い場合には、負荷が存在しないのであるから、『ケ−ス１０での判定』に戻される。他方、Ｐｆｓ＞２０ｄであり負荷が存在する場合には、負荷が分銅の２個（＝０．　２５ＦＳ）より小であるか大であるか、すなわち、Ｐｆｓ≦０．２７ＦＳであるか、Ｐｆｓ＞０．２７ＦＳであるかが判断される。
【００５１】
Ｐｆｓ≦　０．２７ＦＳである場合には、負荷が分銅２個以下の重量であるから、載置位置が若干変わっても二隅分布比αは変動し易いことを考慮して次のように判定される。
α　＞　０．３　である場合には、分銅がＲＡ　側へ載置されているとして「ケ−ス２０」と判定され、
α　＜−０．３　である場合には、分銅がＲＢ　側へ載置されている
として「ケ−ス３０」と判定され、
｜α｜≦　０．３　である場合には、『ケ−ス１０での判定』へ戻さ
れる。
そして、Ｐｆｓ＞　０．２７ＦＳであり、負荷が３個以上の分銅である場合には、「ケース７０」であるか否かを判断する「ケースタイマー」を起動させ、負荷の載置に要する時間ｔが「ｔ≦３秒」である場合には、負荷は‘はかり’の実使用時における被計量体であるとし、「ケース７０」と決定される。これは、例えば、タンクローリー等が自走して載台上に乗り上げて計量する場合を想定するものである。
【００５２】
他方、負荷載置の所要時間が「ｔ＞３秒」である場合には、他動的に個別に載置される検査用の分銅が載置されていると判断され、二隅分布比αによって次のように判定される。
α　＞　０．２　である場合には、分銅がＲＡ　側へ載置されている
「ケ−ス２０」と判定され、
α　＜−０．２　である場合には、分銅がＲＢ　側へ載置されている
「　ケ−ス３０」　と判定され、
｜α｜≦　０．２　である場合には、出力値が分銅によるものである
ことの確認が行われる。
【００５３】
すなわち、｜α｜≦０．２であって、負荷が分銅４個の重量より小さいＰｆｓ≦０．４９５ＦＳの場合には『ケ−ス１０での判定』へに戻され、負荷が分銅４個分に近いＰｆｓ＞　０．４９５ＦＳの場合には、更に、分銅４個より大であるＰｆｓ≧　０．５０５ＦＳであるか、分銅４個に近いＰｆｓ＜　０．５０５であるかによって仕分けされて、
Ｐｆｓ　≧０．５０５ＦＳ　である場合には、　『ケ−ス１０での判定』
に戻され、
Ｐｆｓ　＜０．５０５ＦＳ　である場合には、「ケース１１」と判定さ
れる。
【００５４】
『ケース１１での判定』
分銅が載台の中央部に載置され、（１／２）　ＦＳである分銅４個に到達した「ケ−ス１１」について、二隅分布の判定は図５に示すフローに従って行われる。
【００５５】
すなわち、Ｐｆｓ≧　０．５０５ＦＳであるか、Ｐｆｓ＜　０．５０５ＦＳであるかによって仕分けして、負荷が分銅４個より大であり、Ｐｆｓ≧　０．５０５ＦＳである場合には、二隅分布比αによって次のように判定される。
α　＞　０．２　である場合には、「ケ−ス２０」と判定され、
α　＜−０．２　である場合には、「ケ−ス３０」　と判定され、｜α｜≦　０．２　である場合には、『ケ−ス１１での判定』ヘ戻さ
れる。
【００５６】
また、Ｐｆｓ＜　０．５０５ＦＳであり、負荷が分銅４個に近い場合には、分銅の移動が行われているか否かが判断される。すなわち、Ｐｆｓ≦　０．４９５ＦＳとなる場合には分銅が取り除かれたと判断され、続いてＰｆｓ≦　０．２７ＦＳであるか、Ｐｆｓ＞　０．２７ＦＳであるかによって仕分けして、
Ｐｆｓ　≦　０．２７ＦＳ　である場合には、分銅が２個以上除かれた
として「ケース１０」と判定される。
Ｐｆｓ　＞　０．２７ＦＳ　である場合には分銅１個が除かれたと判断
し二隅分布比αによって次のように判定される。
α　＞　０．２　となる場合には、「ケ−ス２０」と判定され、
α　＜−０．２　となる場合には、「ケ−ス３０」　と判定され、｜α｜≦　０．２　となる場合には、その時のＷ（１／２）　ＦＳと総出力値ＷＮ　との差をＷｄ１　とメモリーして、分銅が中央部から
移動されている「ケ−ス１２」と判定される。
【００５７】
他方、Ｐｆｓ　＞　０．４９５ＦＳである場合には、二隅分布比αによって次のように判定される。
α　＞　０．２　である場合は、「ケ−ス２１」と判定され、
α　＜−０．２　である場合は、「ケ−ス３１」　と判定され、
｜α｜≦　０．２　である場合は、『ケース１１での判定』へ戻され
る。
【００５８】
『ケース１２での判定』
分銅が載台の中央部に載置されて（１／２）　ＦＳに到達した後、移動されている場合である「ケース１２」についての二隅分布の判定は、図６に示すフローに従って行われる。
【００５９】
すなわち、Ｐｆｓ≧　０．５０５ＦＳである場合には「ケース１１」と判定され、Ｐｆｓ＜　０．５０５ＦＳである場合には、更に、Ｐｆｓ≦　０．４９５ＦＳであり分銅が取り除かれたか、または、Ｐｆｓ＞　０．４９５ＦＳであって移動のために持ち上げられ分銅が再び載台へ載置されたかの判断が行われる。
【００６０】
Ｐｆｓ≦　０．４９５ＦＳであり分銅が取り除かれている場合には、更にＰｆｓ≦　０．２７ＦＳであるか、Ｐｆｓ＞　０．　２７ＦＳであるかによって仕分けして、
Ｐｆｓ　≦　０．２７ＦＳ　である場合には、「ケース１０」と判定さ
れる。
他方、Ｐｆｓ　＞　０．　２７ＦＳ　である場合には、　分銅１個が移動中であると判断され、二隅分布比αによって次のように判定される。
α　＞　０．２　である場合には、「ケ−ス２０」と判定され、
α　＜−０．２　である場合には、「ケ−ス３０」　と判定され、｜α｜≦　０．２　である場合は、『ケース１１での判定』へ戻され
る。
【００６１】
他方、Ｐｆｓ　＞　０．４９５ＦＳであり、移動のために１個の分銅が持ち上げられ、続いて載台に載置されたと判断される場合には、載置された位置が、その時のＲＡ　とＲＡ　側に（１／２）　ＦＳを載置した時のＲＡ　との差である［ＲＡ−ＲＡ（１／２）ＦＳ］の大きさによって判断される。すなわち、０．１８Ｗｄ１　をδ、［ＲＡ　−ＲＡ（１／２）ＦＳ］をλ１　として、λ１　とδとの大小を比較し、
λ１　＞　δ　である場合には、分銅が中央部からＲＡ　側へ移動され
たとして、「ケース４０」と判定され、
λ１　≦　δ　である場合には、ＲＢ　とＲＢ（１／２）ＦＳとの差である
［ＲＢ　−ＲＢ（１／２）ＦＳ］をλ２　として、λ２　とδとの大小
を比較し、
λ２　＞　δ　である場合には、分銅が中央部からＲＢ　側へ移動され
たとして、「ケース４５」と判定され、
λ２　≦　δ　である場合には、「ケース１１」と判定される。
【００６２】
『ケース２０での判定』
分銅が載台のＲＡ　側に載置されており、（１／２）　ＦＳには未到達である「ケース２０」について、二隅分布の判定は図７に示したフローに従って行われる。
【００６３】
すなわち、Ｐｆｓ≦　｜２０ｄ｜　であって０目盛に近い場合には、負荷が存在しないのであるから、「ケース１０」と判定される。他方、Ｐｆｓ＞　２０ｄである場合には、Ｐｆｓ≦　０．２７ＦＳであるか、Ｐｆｓ＞　０．２７ＦＳであるかが判断される。
【００６４】
Ｐｆｓ≦　０．２７ＦＳであり、分銅２個以下であると判断される場合には、二隅分布比αによって次のように判定される。
｜α｜　≦　０．３　である場合には「ケ−ス１０」と判定され
α　＜−０．３　である場合には「ケ−ス３０」と判定され、
α　＞　０．３　である場合には『ケース２０での判定』へ戻される。
他方、Ｐｆｓ＞０．２７ＦＳである場合は、負荷が分銅２個より大であるので「ケース７０」であるか否かを判断する「ケースタイマー」によって、分銅２個より大の負荷の載置の所要時間ｔがｔ≦３秒である場合には、負荷として‘はかり’　の実使用時における被計量体（例えばタンクローリー）の計量が行われている「ケース７０」と判定される。
【００６５】
また分銅２個より大の以上の負荷の載置時間がｔ＞３秒で、３秒を越える時間を要する場合には、検査用の分銅が載置されているとし、その時の二隅分布比αによって次のように判定される。
｜α｜　≦　０．２　である場合には、ＲＡ　側にある分銅が中央部へ移
動されていると判断して、「ケース１０」と判定され、
α　＜−０．２　である場合には、分銅がＲＢ　側へ移動されている
として、「　ケ−ス３０」　と判定され、
α　＞　０．２　である場合には、『ケース２０での判定』に戻す
か否かの判断が行われる。
【００６６】
すなわち、Ｐｆｓ≦　０．４９５ＦＳであるか、Ｐｆｓ＞　０．４９５ＦＳであるか、すなわち、分銅４個を基準に仕分けして、
Ｐｆｓ　≦　０．４９５ＦＳ　である場合には、『ケ−ス２０での判定
』へに戻され、
Ｐｆｓ　＞　０．４９５ＦＳ　である場合には、更にＰｆｓ　≧０．５０５ＦＳであるか、Ｐｆｓ＜　０．５０５ＦＳであるかに
よって判断される。
すなわち、分銅４個より大であるＰｆｓ≧０．５０５ＦＳである場合には、二隅分布比αによって次のように判定される。
｜　α｜　≦　０．２　である場合には、分銅が中央部へ移動されている
と判断して「ケース１０」と判定され、
α　＜−０．２　である場合には、分銅がＲＢ　側へ移動されているとして「　ケ−ス３０」　と判定され、
α　＞　０．２　である場合には、『ケ−ス２０での判定』に戻さ
れる。
他方、分銅４個に近いＰｆｓ＜０．５０５ＦＳの場合には４個の分銅がＲＡ　側に載置された「ケ−ス２１」と判定される。
【００６７】
『ケース２１での判定』
分銅が載台のＲＡ　側に載置されており、（１／２）ＦＳ　に到達した場合である「ケース２１」について、二隅分布の判定は図８に示すフローに従って行われる。
【００６８】
すなわち、先ず、二隅分布比αによって次のように判定される。
｜α｜　≦　０．２　である場合には、分銅が中央部へ移動されている
として「ケース１０」と判定され、
α　＜−０．２　である場合には、分銅がＲＢ　側へ移動されている
として「　ケ−ス３０」　と判定され、
α　＞　０．２　である場合には、更にＰｆｓ≧０．５０５ＦＳであるか、Ｐｆｓ＜０．５０５ＦＳであるかによって判断される。
【００６９】
分銅４個より大であるＰｆｓ≧　０．５０５ＦＳの場合には『ケース２１での判定』へ戻され、Ｐｆｓ＜　０．５０５ＦＳである場合には、続いてＰｆｓ≦　０．４９５ＦＳであるか、Ｐｆｓ　＞０．４９５ＦＳであるかによって判断され、分銅が取り除かれたＰｆｓ≦　０．４９５ＦＳの場合には、分銅の移動を判断するべく、Ｐｆｓ≦　０．２７ＦＳであるか、Ｐｆｓ＞　０．２７ＦＳであるかによって仕分けして、Ｐｆｓ≦　０．２７ＦＳの場合には２個以上の分銅が除かれたとして「ケース１０」と判定され、Ｐｆｓ＞　０．２７ＦＳの場合には１個の分銅が除かれたと判断し、その時のＷ（１／２）ＦＳとＷＮ　との差である［Ｗ（１／２）ＦＳ−ＷＮ　］をＷｄ２　とメモリーして、「ケース２２」と判定される。
他方、Ｐｆｓ＞　０．４９５である場合には、『ケース２１での判定』に戻される。
【００７０】
『ケース２２での判定』
分銅が載台のＲＡ　側に載置されて（１／２）ＦＳ　に到達した後、移動されている場合である「ケース２２」での二隅分布の状態の判定は図９に示すフローに従って行われる。
【００７１】
すなわち、Ｐｆｓ≧　０．５０５ＦＳであるか、Ｐｆｓ＜　０．５０５ＦＳであるかによって判断し、負荷が分銅４個より大であるＰｆｓ≧　０．５０５ＦＳの場合には「ケース２１」と判定され、分銅４個に近いＰｆｓ＜　０．５０５ＦＳの場合には、更に、Ｐｆｓ≦　０．４９５ＦＳであるか、Ｐｆｓ＞　０．４９５ＦＳであるかによって判断し、Ｐｆｓ≦　０．４９５ＦＳである場合には、分銅の移動を判断するべく、Ｐｆｓ≦　０．２７ＦＳであるか、Ｐｆｓ＞　０．２７ＦＳであるかによって仕分けし、
Ｐｆｓ　≦　０．２７ＦＳ　である場合には、２個以上の分銅が取り除
かれたとして「ケース１０」と判定され、
Ｐｆｓ　＞　０．２７ＦＳ　である場合には、１個の分銅が移動中であ
るとして、『ケース２１での判定』へ戻される。
【００７２】
他方、Ｐｆｓ＞　０．４９５ＦＳである場合には、移動のために持ち上げられた分銅が再び載台に載置されたと判断し、０．１６Ｗｄ２　をρ、０．４０Ｗｄ２　をγとし、ＲＢ　とＲＢ（１／２）ＦＳとの差である［ＲＢ　−ＲＢ（１／２）ＦＳ］をλ２　として、λ２　とρとの大小を比較し、
λ２　＜　ρ　である場合には、「ケース２１」と判定され、
λ２　≧　ρ　である場合には、更にλ２　とγとの大小を比較して、λ２　≦　γ　である場合には、分銅がＲＡ　側から中央部へ移動され
ているとして「ケース６０」と判定され、
λ２　＞　γ　である場合には、分銅がＲＡ　側からＲＢ　側へ移動され
たとして、Ｆｌｇ５Ｘにおいて次のように判断される。
すなわち、
「ケース５Ｘでの判定」が既に行われている場合には「ケ
ース２１」と判定され、
「ケース５Ｘでの判定」が未経験の場合には分銅がＲＡ　側で４個の（１／２）　ＦＳになった後、ＲＢ　側への移動が開始
された「ケース５０」と判定される。
【００７３】
載台のＲＡ　側での『ケース２０、２１、２２での判定』の後、載台のＲＢ　側で『ケース３０、３１、３２での判定』が行われるが、これらは分銅がＲＡ　側にあるかＲＢ　側にあるかの違いであり、判定フローの内容は同様であるので、『ケース３０、３１、３２での判定』の説明は省略する。
【００７４】
『ケース４０での判定』
分銅が載台の中央部で（１／２）　ＦＳに到達した後、中央部からＲＡ　側への移動が開始された「ケース４０」について、二隅分布の判定は図１０のＡに示すフローに従って行われる。
【００７５】
すなわち、分銅４個より大であるＰｆｓ≧　０．５０５ＦＳの場合には「ケース１０」と判定され、分銅４個に近いＰｆｓ＜　０．５０５ＦＳの場合には、続いて、Ｐｆｓ≦　０．４９５ＦＳであるか、Ｐｆｓ＞　０．４９５ＦＳであるかによって判断される。分銅が除かれて、Ｐｆｓ≦　０．４９５ＦＳである場合には、更に、Ｐｆｓ≦　０．２７ＦＳであるか、Ｐｆｓ＞　０．２７ＦＳであるかによって仕分けして、
Ｐｆｓ　≦　０．２７ＦＳ　である場合には、２個以上の分銅が取り除
かれたとして「ケース１０」と判定され、
Ｐｆｓ　＞　０．２７ＦＳ　である場合には、分銅１個が取り除かれＲＡ側へ移動中であるとして「ケ−ス４１」と判定される。
他方、Ｐｆｓ　＞　０．４９５ＦＳ　である場合には『ケ−ス４０での判定』へ戻される。
【００７６】
『ケース４１での判定』
分銅が載台の中央部で（１／２）　ＦＳに到達した後に、中央部からＲＡ　側へ移動されている「ケース４１」について、二隅分布の判定は図１０のＢに示すフローに従って行われる。
【００７７】
すなわち、分銅４個より大のＰｆｓ≧０．５０５ＦＳの場合には「ケース１０」と判定され、分銅４個に近いＰｆｓ＜０．５０５ＦＳの場合には、続いて、Ｐｆｓ≦０．４９５ＦＳであるか、Ｐｆｓ＞０．４９５ＦＳであるかによって判断される。そして、Ｐｆｓ≦０．４９５ＦＳである場合には、分銅が移動中であるとして、更に、Ｐｆｓ≦０．２７ＦＳであるか、Ｐｆｓ＞０．２７ＦＳであるかによって仕分けして、
Ｐｆｓ　≦　０．２７ＦＳ　である場合には、２個以上の分銅が除か
れたとして「ケース１０」と判定され、
Ｐｆｓ　＞　０．２７ＦＳ　である場合には、分銅１個が移動されてい
るとして『ケース４０での判定』へ戻される。
【００７８】
他方、Ｐｆｓ＞０．４９５ＦＳである場合には、移動のために持ち上げられた分銅が再び載台へ載置されたと判断し、二隅分布比αによって次のように判定される。
α　＞　０．４　である場合には、分銅がＲＡ　側へ移動されている
として「　ケ−ス２０」　と判定され、
α　＜−０．４　である場合には、分銅がＲＢ　側へ移動されている
として「　ケ−ス３０」　と判定され、
｜α｜　≦　０．４　である場合には、『ケース４０での判定』へ戻さ
れる。
【００７９】
上記、載台の中央部からＲＡ　側への移動である『ケース４０、４１での判定』の後、中央部からＲＢ　側への移動である『ケース４５、４６での判定』が行われるが、これらは中央部から反対方向への分銅の移動であり、判定フローの内容は同様であるので、『ケース４５、４６での判定』の説明は省略する。
【００８０】
『ケース５０での判定』
分銅が載台のＲＡ　側で４個の（１／２）　ＦＳに到達した後、ＲＡ　側からＲＢ　側へ移動が開始された「ケース５０」について、二隅分布の判定は図１１のＡに示すフローに従って行われる。
【００８１】
すなわち、Ｐｆｓ≧　０．５０５ＦＳであるか、Ｐｆｓ＜　０．５０５ＦＳであるかによって判断して、分銅４個より大であるＰｆｓ≧　０．５０５ＦＳの場合には「ケース１０」と判定され、分銅４個に近いＰｆｓ＜　０．５０５ＦＳの場合には、更に、Ｐｆｓ≦　０．４９５ＦＳであるか、Ｐｆｓ＞　０．４９５ＦＳであるかによって判断される。そして、Ｐｆｓ≦　０．４９５ＦＳである場合には分銅が除かれたとして、更に、Ｐｆｓ≦　０．２７ＦＳであるか、Ｐｆｓ＞０．２７ＦＳであるかによって仕分けして、
Ｐｆｓ　≦　０．２７ＦＳ　である場合には、２個以上の分銅が取り除
かれたとして「ケース１０」と判定され、
Ｐｆｓ　＞　０．２７ＦＳ　である場合には、分銅１個が持ち上げられ
て移動中であるとし「ケ−ス５１」と判定される。
他方、Ｐｆｓ＞　０．４９５ＦＳである場合には『ケース５０での判定』へ戻される。
【００８２】
『ケース５１での判定』
分銅が載台のＲＡ　側で（１／２）　ＦＳに到達し、ＲＡ　側からＲＢ　側へ移動されている「ケース５１」について、二隅分布の判定は図１１のＢに示すフローに従って行われる。
【００８３】
すなわち、分銅４個より大であるＰｆｓ≧　０．５０５ＦＳの場合には「ケース１０」と判定され、分銅４個に近いＰｆｓ＜　０．５０５ＦＳの場合には、更に、Ｐｆｓ≦　０．４９５ＦＳであるか、Ｐｆｓ＞　０．４９５ＦＳであるかによって判断される。そして、Ｐｆｓ≦　０．４９５ＦＳである場合には分銅が移動中であるとして、更に、Ｐｆｓ≦　０．２７ＦＳであるか、Ｐｆｓ＞　０．２７ＦＳであるかによって仕分けして、
Ｐｆｓ　≦　０．２７ＦＳ　である場合には、２個以上の分銅が取り除
かれたとして「ケース１０」と判定され、
Ｐｆｓ　＞　０．２７ＦＳ　である場合には、分銅１個が移動されてい
るとして『ケ−ス５０での判定』に戻される。
【００８４】
他方、Ｐｆｓ＞　０．４９５ＦＳである場合には、移動のために持ち上げられた分銅が載台へ再び載置されたと判断され、二隅分布比αによって次のように判定される。
α　＞　０．４　である場合には、分銅がＲＡ　側へ移動されている
として「　ケ−ス２０」　と判定され、
α　＜−０．４　である場合には、分銅がＲＢ　側へ移動されている
として「　ケ−ス３０」　と判定され、
｜α｜　≦　０．４　である場合には、分銅が中央部へ移動されているとし、「ケース５Ｘ」を経験済みとして『ケース５０での
判定』へ戻される。
【００８５】
上記、載台のＲＡ　側からＲＢ　側への分銅の移動である『ケース５０、５１での判定』の後、ＲＢ　側からＲＡ　側への分銅の移動である『ケース５５、５６での判定』が行われるが、これらは分銅の両端側の間の逆方向の移動であり、判定フローの内容は同様であるので、『ケース５５、５６での判定』の説明は省略する。
【００８６】
『ケース６０での判定』
分銅が載台のＲＡ　側で（１／２）ＦＳに到達した後、ＲＡ　側から中央部への移動が開始された場合である「ケース６０」について、二隅分布の判定は図１２のＡに示すフローに従って行われる。
【００８７】
すなわち、分銅４個より大であるＰｆｓ≧　０．５０５ＦＳの場合には「ケース１０」と判定され、分銅４個に近いＰｆｓ＜　０．５０５ＦＳの場合には、続いて、Ｐｆｓ≦　０．４９５ＦＳであるか、Ｐｆｓ＞　０．４９５ＦＳであるかによって判断される。Ｐｆｓ≦　０．４９５ＦＳである場合には分銅が除かれたとして、更に、Ｐｆｓ≦０．２７ＦＳであるか、Ｐｆｓ　＞０．２７ＦＳであるかによって仕分けされる。
Ｐｆｓ　≦　０．２７ＦＳ　である場合には、２個以上の分銅が除かれ
たとして「ケース１０」と判定され、
Ｐｆｓ　＞　０．２７ＦＳ　である場合には、分銅１個が除かれたとし
て「ケ−ス６１」と判定される。
他方、Ｐｆｓ＞　０．４９５ＦＳである場合には、『ケ−ス６０での判定』に戻される。
【００８８】
『ケース６１での判定』
分銅が載台のＲＡ　側で（１／２）ＦＳに到達し、ＲＡ　側から中央部へ移動されている「ケース６１」について、二隅分布の判定は図１２のＢに示すフローに従って行われる。
【００８９】
すなわち、Ｐｆｓ≧　０．５０５ＦＳであるか、Ｐｆｓ＜　０．５０５ＦＳであるかによって判断して、分銅４個より大であるＰｆｓ≧　０．５０５ＦＳの場合には「ケース１０」と判定され、分銅４個に近いＰｆｓ＜　０．５０５ＦＳの場合には、続いてＰｆｓ≦　０．４９５ＦＳであるか、Ｐｆｓ＞　０．４９５ＦＳであるかによって判断される。そして、Ｐｆｓ≦　０．４９５ＦＳである場合には分銅が移動中であるとして、更に、Ｐｆｓ≦　０．２７ＦＳであるか、Ｐｆｓ＞　０．２７ＦＳであるかによって仕分けして、
Ｐｆｓ　≦　０．２７ＦＳ　である場合には、２個以上の分銅が除かれ
たとして、「ケース１０」と判定され、
Ｐｆｓ　＞　０．２７ＦＳ　である場合には、分銅１個が除かれ移動中
であるとして、『ケ−ス６０での判定』に戻される。
【００９０】
他方、Ｐｆｓ＞　０．４９５ＦＳである場合には、移動のために持ち上げられた分銅が載台へ再び載置されたと判断され、二隅分布比αによって次のように判定される。
｜α｜　≦　０．１３　である場合には、分銅が中央部へ移動されてい
るとして、「　ケース１０」と判定され、
α　＜−０．１３　である場合には、分銅がＲＢ　側へ移動されてい
るとして、「　ケ−ス３０」　と判定され、
α　＞　０．１３　である場合には『ケ−ス６０での判定』へ戻さ
れる。
【００９１】
上記、載台のＲＡ　側から中央部への移動である『ケース６０、６１での判定』の後、ＲＢ　側から中央部への移動である『ケース６５、６６での判定』が行われるが、これらはＲＡ　側またはＲＢ　側から中央部への分銅の移動であり、判定フローの内容は同様であるのでケース６５、６６での判定』の説明は省略する。
【００９２】
『ケース７０での判定』
Ｐｆｓ　≦　｜２０ｄ｜である無負荷の状態から所定時間内（例えば３秒以内）に、ロードセルの総出力値が分銅２個以上の０．２７ＦＳ以上となる被計量物が載台に載置される「ケース７０」に付いて、二隅分布の判定は図１３のＡに示すフローに従って行われる。
【００９３】
すなわち、Ｐｆｓ　≦　０．２７ＦＳであるか、Ｐｆｓ＞　０．２７ＦＳであるかによって判断して、分銅２個以下のＰｆｓ≦　０．２７ＦＳの場合には「ケース１０」と判定され、Ｐｆｓ＞　０．２７ＦＳの場合には、続いて、Ｐｆｓ≦　０．４９５ＦＳであるか、Ｐｆｓ＞　０．４９５ＦＳであるかによって仕分けされる。そして、Ｐｆｓ＞　０．４９５ＦＳである場合には、被計量物が載台の中央部にある「ケース７１」と判定され、分銅４個より小さいＰｆｓ≦　０．４９５ＦＳである場合には、二隅分布比αによって次のように判定される。
α　＞　０．２　である場合には、「　ケ−ス２０」　と判定され、α　＜−０．２　である場合には、「　ケ−ス３０」　と判定され、｜α｜　≦　０．２　である場合には、「ケース１０」と判定される。
【００９４】
『ケース７１での判定』
被計量物が載台の中央部にある「ケース７１」において、二隅分布の判定は図１３のＢのフローに示すように二隅分布比αによって次のように判定される。
｜α｜　＞　０．２　である場合には、被計量物がＲＡ　側またはＲＢ　側
にある「ケース７２」と判定され、
｜α｜　≦　０．２　である場合には、中央部にあるので『ケ−ス７０
での判定』に戻される。
【００９５】
『ケース７２での判定』
被計量物がＲＡ　側またはＲＢ　側にある「ケース７２」において、二隅分布の判定は、図１３のＣのフローに示すように、二隅分布比αによって次のように判定される。
｜α｜　≦　０．２　である場合には、「ケース７１」と判定され、
｜α｜　＞　０．２　である場合には、『ケ−ス１０での判定』に戻さ
れる。
【００９６】
以上、本発明のロードセル式はかりについて、その二隅分布の判定フローを実施例によって説明したが、勿論、本発明はこれに限られることなく、本発明の技術的思想に基づいて種々の変形が可能である。
【００９７】
例えば本実施例においては、４個の分銅の内の１個が持ち上げられて移動中である場合も含めて分銅の二隅分布の状態を図２に示したように「ケース１０」から「ケース７２」までの２４ケースの中の何れであるかを判定し、それぞれのケースに応じて二隅補正値ＷＥ　を設定、算出する場合を例示したが、載台上に４個の分銅が存在する「ケース１１」、「ケース２１」、「ケース３１」、「ケース４１」、「ケース４６」、「ケース５１」、「ケース５６」、「ケース６１」、「ケース６６」、「ケース７０」の１０のケースに限って二隅補正値ＷＥ　を、設定、算出するようにしてもよい。また、「ケース１１」、「ケース２１」、「ケース３１」、「ケース５１」、「ケース５６」、の５ケース、すなわち、二隅検査に相当するケースと、載台の撓みが小さくなるケースにおいてのみ二隅補正値ＷＥ　を設定、算出するようにしてもよい。
【００９８】
また本実施例においては、フルスケール４０トンのロードセル式はかりに付いて、１個５トンの分銅を４個、総計２０トン、すなわち、（１／２）　ＦＳの分銅を使用して検査する場合を例示したが、総計２０トンに対して１個２トン分銅を１０個使用するような場合にも本発明は適用される。また、検査に際して、（１／２）　ＦＳ以外の分銅、例えば　（２／３）ＦＳの分銅を使用して検査する場合にも同様にして本発明は適用され得る。すなわち、検査に使用する分銅の総トン数は限定されない。更には、分銅値を（１／２）　ＦＳや（２／３）ＦＳと特定しなくとも、ある分銅値に積載されたことを常に記憶しておき、分銅が載台上を移動する為に、その分銅値が一次的に減少した後、再度同一値に戻るような現象を把握し、その際の二隅分布状態を追跡することにより、二隅補正値を算出することができるので、広範囲に渡って本発明は適用される。
【００９９】
また本実施例においては、載台が長方形状である場合を説明したが、コーナーを切り落とした長方形状や長楕円形状など、長手方向が特定される形状のものがある限りにおいて、特に制限されない。
また本実施例においては、分銅以外の負荷である被計量物としてタンクローリーを例示したが、被計量物はタンクローリー以外のもの、例えば各種トラック類、輸送用コンテナ、貨車、構造用柱類ないしはフレーム等であってもよい。
また本実施例においては、デジタル式ロードセルを使用したロードセル式はかりに付いて説明したが、アナログ式ロードセルの使用し、その出力を補正する方法を排除するものではない。
【０１００】
【発明の効果】
本発明のロードセル式はかりは以上に説明したような形態で実施され、次に述べるような効果を奏する。
【０１０１】
請求項１のロードセル式はかりによれば、荷重ＦＳ比率と二隅分布比とによって載台上に存在する複数の分銅の二隅分布の状態に応じ適切に設定、算出される二隅補正値または二隅補正係数によってロードセルの総出力値を二隅補正するので、載台上の位置に関係なく、分銅の重量を同等に表示することができる。
請求項２のロードセル式はかりによれば、分銅が載置されている時の載台上の位置や分銅の個数、および分銅が移動されている時の移動の方向や移動の位置に応じて二隅補正値または二隅補正係数が算出されるので、分銅の二隅分布の状態の変化に追従して的確に分銅の重量を同等に表示することができる。
【０１０２】
請求項３のロードセル式はかりによれば、分銅荷重の二隅分布比がロードセルの一端側の出力ＲＡ　と他端側の出力ＲＢ　から簡易に算出されるので、荷重ＦＳ比率と二隅分布比とによって、載台上における分銅の二隅分布の状態が常に的確に把握され、正確な二隅補正を可能ならしめる。
請求項４のロードセル式はかりによれば、分銅の載置によって載台が撓まない場合にはロードセルの総出力値を撓み誤差補正するので、載台が撓まない場合は勿論、許容し得る範囲内で撓む場合にも、分銅の重量を的確に表示することができる。
【０１０３】
請求項５のロードセル式はかりによれば、載台上の分銅の二隅分布の状態に応じて適切な二隅補正値ＷＥ　を算出し、ロードセルの総出力値ＷＮ　から二隅補正値ＷＥを減じて補正するので、載台上の位置に関係なく、分銅の重量を同等に表示することができる
請求項６のロードセル式はかりによれば、ロードセルの総出力値の上昇速度によって負荷の種類の判別するで、負荷が検査時の分銅か実使用時の被計量物かを簡易に判別して適切に対応することができ、不要な操作を回避し得る。
請求項７のロードセル式はかりによれば、被計量物の載台上の位置に応じて適切な二隅補正値を算出するので、載台上の位置に関係なく被計量物の重量を的確に表示することができる。
【図面の簡単な説明】
【図１】本発明のロードセル式はかりにより二隅誤差補正して重量表示するプログラムの構成を概略的に示す図である。
【図２】上記プログラムにおいて、載台上における分銅の二隅分布の状態をケース別けして判定し、その判定に基づいて二隅補正値を算出するフローの全体を示す図である。
【図３】載置された分銅によって載台が撓む時の、荷重ＦＳ比率と撓み補正値との関係を示す図であり、Ａは撓み補正値が荷重ＦＳ比率０〜１の間で変わる場合、Ｂは荷重ＦＳ比率０〜０．８の間で変わる場合を示す。
【図４】ケース１０での判定のフローを示す図である。
【図５】ケース１１での判定のフローを示す図である。
【図６】ケース１２での判定のフローを示す図である。
【図７】ケース２０での判定のフローを示す図である。
【図８】ケース２１での判定のフローを示す図である。
【図９】ケース２２での判定のフローを示す図である。
【図１０】Ａはケース４０での判定のフローを示す図であり、Ｂはケース４１での判定のフローを示す図である。
【図１１】Ａはケース５０での判定のフローを示す図であり、Ｂはケース５１での判定のフローを示す図である。
【図１２】Ａはケース６０での判定のフローを示す図であり、Ｂはケース６１での判定のフローを示す図である。
【図１３】Ａはケース７０、Ｂはケース７１、Ｃはケース７２での判定のフローを示す図である。
【図１４】図１４から図１９までは‘はかり’　の検査時における載台上での分銅の載置および移動の方法の一例を示す図であり、図１４は中心振り分けで載台の中央部へ４個の分銅を載置する手順を示す図であって、分銅４個が載置されたＥにおいて載台の撓みは最も大きくなる。
【図１５】図１４に続いて、中央部の４個の分銅を一端側（図において左側）へ移動させる手順を示す図である。
【図１６】図１５に続いて、一端側の４個の分銅を他端側へ移動させる手順を示す図であり、途中のＣにおいて載台の撓みは最も小さくなる。
【図１７】図１６に続いて、他端側の４個の分銅を中央部へ移動させる手順を示す図である。
【図１８】図１７に続いて、中央部の４個の分銅の両側へ交互に分銅を載置して載台の全体で分銅を８個とする手順を示す図である。
【図１９】図１８に続いて、８個の分銅を両側から交互に取り除く手順を示す図である。
【図２０】図２０から図２３までは‘はかり’　の検査時における載台上での分銅の載置および移動の方法の他例を示す図であり、図２０は中心振り分けで載台の中央部から両端側へ載置し載台全体に８個の分銅を載置する手順を示す図であり、中央部で分銅が４個になる途中のＣにおいて載台の撓みは最も大きくなる。
【図２１】図２０に続いて、他端（図において右端）から順に分銅を取り除いて、一端側に４個の分銅を残す手順を示す図である。
【図２２】図２１に続いて、一端側の４個の分銅を他端側へ移動させる手順を示す図であり、途中のＣにおいて載台の撓みは最も小さくなる。
【図２３】図２２に続いて、他端側の４個の分銅を取り除く手順を示す図である。
【図２４】四隅部のロードセルによって支持された‘はかり’　の長方形の載台の平面図であり、Ａは載台の中央部および四隅部の一隅部毎に１０トンの荷重を載置した時の４個のロードセルの出力の和算値を載置場所毎に示した図であり、Ｂは載台の中央部および長手方向の一端部毎に２０トンの荷重を載置した時の４個のロードセルの出力の和算値を載置場所毎に示した図である。
【図２５】図２４の載台とロードセルを示す側面図であり、Ａは無負荷の状態、Ｂは載置された負荷によって載台が撓むと共に、ロードセルが上部を外側へ傾けられた状態を概念的に示す図である。
【符号の説明】
１　載台
２　分銅
【図１】
2004108801.tif 000006
【図２】
2004108801.tif 000007
【図３】
2004108801.tif 000008
【図４】
2004108801.tif 000009
【図５】
2004108801.tif 000010
【図６】
2004108801.tif 000011
【図７】
2004108801.tif 000012
【図８】
2004108801.tif 000013
【図９】
2004108801.tif 000014
【図１０】
2004108801.tif 000015
【図１１】
2004108801.tif 000016
【図１２】
2004108801.tif 000017
【図１３】
2004108801.tif 000018
【図１４】
2004108801.tif 000019
【図１５】
2004108801.tif 000020
【図１６】
2004108801.tif 000021
【図１７】
2004108801.tif 000022
【図１８】
2004108801.tif 000023
【図１９】
2004108801.tif 000024
【図２０】
2004108801.tif 000025
【図２１】
2004108801.tif 000026
【図２２】
2004108801.tif 000027
【図２３】
2004108801.tif 000028
【図２４】
2004108801.tif 000029
【図２５】
2004108801.tif 000030